(57)【特許請求の範囲】
【請求項１】
水棲生物の増殖を目的として水中に設置される水中設置構造物において、
水中に設置される基体と、
この基体に設けられ、周囲の水よりも比重の大きい栄養成分を収容するとともに、放出部以外から収容した栄養成分が水中に離散しないように前記放出部を除いて遮蔽して形成された収容部と、
前記栄養成分の表面を乱したり前記栄養成分を攪拌したりする水流の発生を抑制する水流抑制部と、
を有し、
前記放出部は前記収容部の天井部分に形成され、
前記水流抑制部は、前記収容部の天井側に設けられ、前記放出部を囲堯して水流を遮蔽し、前記放出部から放出された前記栄養成分を滞留させる滞留部が内部に形成された遮蔽体を含み、
この遮蔽体は、側壁に形成され前記水棲生物の棲息に必要な範囲内で水流の出入りを許容する大きさの孔又は隙間と、前記遮蔽体の天井部分に形成され前記水棲生物が出入りできる大きさの孔とを有すること、
を特徴とする水中設置構造物。
【請求項２】
水棲生物の増殖を目的として水中に設置される水中設置構造物において、
水中に設置される基体と、
この基体に設けられ、周囲の水よりも比重の大きい栄養成分を収容するとともに、放出部以外から収容した栄養成分が水中に離散しないように前記放出部を除いて遮蔽して形成された収容部と、
前記栄養成分の表面を乱したり前記栄養成分を攪拌したりする水流の発生を抑制する水流抑制部と、
を有し、
前記放出部は前記収容部の天井部分に形成され、
前記水流抑制部は、前記収容部の天井側に設けられ、前記放出部を囲堯して水流を遮蔽し、前記放出部から放出された前記栄養成分を滞留させる滞留部が内側に形成されたブラシ状の遮蔽体を含むこと、
を特徴とする水中設置構造物。
【請求項３】
前記水流抑制部の表面又は水流抑制部の内側領域に、前記水棲生物の繁殖と定着を促進するための生物担持体を設けたことを特徴とする請求項１又は２に記載の水中設置構造物。
【請求項４】
前記栄養成分よりも比重が小さく周囲の水より比重の大きい成分で形成され、前記栄養成分の表面に浮かべられることで、前記栄養成分の表面を乱したり前記栄養成分を攪拌したりする水流の発生を抑制する水流抑制層を有することを特徴とする請求項１〜３のいずれかに記載の水中設置構造物。
【請求項５】
前記収容部の内部に連通し、前記収容部に液状の前記栄養成分を補充するための補充部と、この補充部を開閉する蓋とを有することを特徴とする請求項１〜４のいずれかに記載の水中設置構造物。
【請求項６】
前記放出部に、前記収容部から突出する筒体を設け、この筒体の開口から前記栄養成分が放出されるようにしたことを特徴とする請求項１〜５のいずれかに記載の水中設置構造物。
【請求項７】
前記滞留部に前記水棲生物の繁殖と定着を促進するための生物担持体を設けたことを特徴とする請求項１〜６のいずれかに記載の水中設置構造物。
【請求項８】
前記栄養成分に増粘剤を添加して、水流による攪拌作用を抑制したことを特徴とする請求項１〜７のいずれかに記載の水中設置構造物。
【請求項９】
前記収容部に水流による攪拌作用を抑制する隔壁部材を設けたことを特徴とする請求項１〜８のいずれかに記載の水中設置構造物。
【請求項１０】
前記収容部に前記栄養成分とともに腐敗防止剤を収容したことを特徴とする請求項１〜９のいずれかに記載の水中設置構造物。
【発明の詳細な説明】
【技術分野】
【０００１】
本発明は、魚介類，プランクトン類，藻類，海草類，葉上生物類などの水棲生物の増殖を目的として水底又は水底と水面の間（これらを総称して「水中」と記載する）に設置される水中設置構造物に関する。
【背景技術】
【０００２】
この種の構造物の代表例として人工魚礁を挙げることができる。人工魚礁としては、コンクリートブロックや廃船などの構造物を海底に沈めて魚類の住処とするものや、間伐材などの自然廃材を沈めることで人工魚礁から栄養成分を水中に放出させ、藻などの地衣類を発生させることで、魚巣の形成や魚群の定着を促すものがある。
前者の人工魚礁の一例としては、例えば特許文献１に記載のものを挙げることができる。
【０００３】
この人工魚礁は、コンクリート製の中空ブロックで形成されていて、その表面に海藻類の苗を植え付けたり、コンクリート材に自然岩石とか貝殻を混入したり貼り付けたりしている。
また、後者の人工漁礁の例としては、特許文献２や特許文献３に記載のものを挙げることができる。特許文献２に記載の人工魚礁は、間伐材を複数段に交叉連結して組みたてた枠体の中に捨石を収容した捨石間伐材混成漁礁である、特許文献３に記載のコンクリート構造物は、コンクリートに栄養成分を担持させ、前記栄養成分が徐々に前記構造物から溶出するようにしたものである。
【先行技術文献】
【特許文献】
【０００４】
【特許文献１】実登３０９２９６１号公報（図８参照）
【特許文献２】特開２００２−２１８８６１
【特許文献３】特開２００５−３４１８８７
【発明の開示】
【発明が解決しようとする課題】
【０００５】
ところで、前者の人工漁礁に対して後者の人工漁礁は、栄養成分を放出させることで海水中の栄養不足を補い、目的とする水棲生物を繁殖させることができる点で有利である。しかし、上記した従来の人工魚礁は、潮流などの水の流れを利用して栄養成分を放出又は拡散させるものであるため、早期に栄養成分が消失してしまい、漁集効果が低下するという問題がある。そのため、人工漁礁そのものを交換するか、栄養成分の補給を行う必要があるが、人工魚礁を引き上げたり、潜水作業によって作業を行う必要があることから、コストと作業負担が大きいという問題があった。
また、栄養成分が潮流などの水の流れによって広範囲に拡散してしまうことがあり、これによっても漁集効果が低下するという問題があった。
【０００６】
本発明は上記の問題点を解決するためになされたもので、長期に亘って栄養成分を放出することができ、一定の領域に一定量の栄養成分を常に滞留させることで、目的とする水棲生物を安定的に定着させることができ、高い魚集効果を長期に亘って維持できるとともに、栄養成分の補充も簡単な水中設置構造物の提供を目的とする。
【課題を解決するための手段】
【０００７】
本発明の発明者が鋭意研究を行った結果、密閉状態で、周囲の水より比重の大きい液状又は半液状の栄養成分を基体に収容し、前記栄養成分の自然拡散作用によって栄養成分が前記基体の放出部から放出されるようにすることで上記の問題を解決できることに想到した。
【０００８】
すなわち、請求項１に記載の発明は、水棲生物の増殖を目的として水中に設置される水中設置構造物において、水中に設置される基体と、この基体に設けられ、周囲の水よりも比重の大きい栄養成分を収容するとともに、放出部以外から収容した栄養成分が水中に離散しないように前記放出部を除いて遮蔽して形成された収容部と、前記栄養成分の表面を乱したり前記栄養成分を攪拌したりする水流の発生を抑制する水流抑制部と、を有し、前記放出部は前記収容部の天井部分に形成され、前記水流抑制部は、前記収容部の天井側に設けられ、前記放出部を囲堯して水流を遮蔽し、前記放出部から放出された前記栄養成分を滞留させる滞留部が内部に形成された遮蔽体を含み、この遮蔽体は、側壁に形成され前記水棲生物の棲息に必要な範囲内で水流の出入りを許容する大きさの孔又は隙間と、前記遮蔽体の天井部分に形成され水棲生物が出入りできる大きさの孔とを有する構成としてある。請求項２に記載の発明は、水棲生物の増殖を目的として水中に設置される水中設置構造物において、水中に設置される基体と、この基体に設けられ、周囲の水よりも比重の大きい栄養成分を収容するとともに、放出部以外から収容した栄養成分が水中に離散しないように前記放出部を除いて遮蔽して形成された収容部と、前記栄養成分の表面を乱したり前記栄養成分を攪拌したりする水流の発生を抑制する水流抑制部と、を有し、前記放出部は前記収容部の天井部分に形成され、前記水流抑制部は、前記収容部の天井側に設けられ、前記放出部を囲堯して水流を遮蔽し、前記放出部から放出された前記栄養成分を滞留させる滞留部が内側に形成されたブラシ状の遮蔽体を含む構成としてある。請求項３に記載するように、前記水流抑制部の表面又は水流抑制部の内側領域に、前記水棲生物の繁殖と定着を促進するための生物担持体を設けてもよい。
【０００９】
前記水流抑制部の例としては遮蔽板（壁）や放出部に設けられる蓋などを挙げることができるが、前記栄養成分の表面に浮かべられることで、前記栄養成分の表面を乱したり前記栄養成分を攪拌したりする水流の発生を抑制するものであってもよい。栄養成分の表面にフロートを浮かべてもよいし、請求項４に記載するように、前記栄養成分よりも比重が小さく周囲の水より比重の大きい成分で形成され、前記栄養成分の表面に浮かべられることで、前記栄養成分の表面を乱したり前記栄養成分を攪拌したりする水流の発生を抑制する水流抑制層としてもよい。このような水流抑制層も、前記栄養成分の表面を乱したり前記栄養成分を攪拌したりする水流の発生をより効果的に抑制することができる。
【００１０】
収容部への栄養成分の補充をしやすくするために、請求項５に記載するように、前記収容部の内部に連通する補充部とこの補充部を開閉する蓋と設けてもよい。栄養成分は周囲の水より比重が大きいため、補充部から流し込むだけで水中でも補充作業が容易に行え、船上や陸上からホースを使って栄養成分を収容部に流し込むことも可能である。
【００１１】
請求項６に記載するように、前記放出部に、前記収容部から突出する筒体を設け、この筒体の開口から前記栄養成分が放出されるようにしてもよい。
【００１３】
請求項７に記載するようにこの滞留部に生物担持体を設けるとよい。生物担持体の形態としてはリボン状，短冊状又はブラシ状のものを用いることができ、吊り下げたり、立設したり、敷設したりすることで、水棲生物の繁殖と定着を促すことができる。
請求項８に記載するように、前記栄養成分に増粘剤を添加して、水流による攪拌作用を抑制ししてもよい。この場合、請求項９に記載するように、前記収容部に設けた隔壁部材で攪拌抑制手段を構成してもよい。また、アミノ酸のような有機栄養物を用いる場合には、請求項１０に記載するように前記栄養成分に腐敗防止剤を混合するのが好ましい。
【発明の効果】
【００１４】
本発明によれば、収容部に周囲の水より比重の大きい栄養成分を収容し、収容した栄養成分の表面が水流によって乱れたり栄養成分が攪拌されたりしないようにすることで、栄養成分が自然の拡散作用によって放出部から徐々に放出される。そのため、長期間にわたって収容部に収容した栄養成分を持たせることができ、頻繁に補充したり交換したりする必要がなくなる。また、放出された栄養成分を、水中設置構造物の周囲に留まらせることで、水棲生物の繁殖と定着が長期にわたって安定的に維持される。
さらに、栄養成分の補充も、船上や陸上から比較的容易に行うことができ、作業者の作業負担を軽減できるうえ、低コストで補充を行うことが可能になる。
【発明を実施するための最良の形態】
【００１５】
以下、本発明の好適な実施形態を、図面を参照しながら詳細に説明する。
［第一の実施形態］
図１は、本発明の水中設置構造物の第一の実施形態にかかり、その構成を説明する分解斜視図である。
水中設置構造物１は、栄養成分を収容して水底に設置される基体１１と、この基体１１に載置された筒状の遮蔽体１４と、この遮蔽体１４の内部に収容される生物担持体１６とから概略構成される。
【００１６】
[基体]
図１に示すように、基体１１は、栄養成分を収容する収容部１１１を備えた箱状の基体本体１１０と、収容部１１１の天井部分に設けられ、収容部１１１に収容した栄養成分が水中に離散しないように抑制する天井部１１２とを有している。
天井部１１２には、遮蔽体１４が設置される領域（図１において二点鎖線で示す領域）の内側に、放出部としての放出孔１１３が一つ又は複数（図示の例では四つ）形成されている。この放出孔１１３は、収容部１１１に連通していて、収容部１１１内の栄養成分を水中に放出することができるようになっている。
なお、栄養成分の補充は放出孔１１３から行うようにしてもよいが、この実施形態では、天井部１１２における前記領域の外側の遮蔽体１４と干渉しない領域に栄養分を補充するための補充孔１１４を形成し、蓋１１５によって開閉できるようにしている。
【００１７】
基体１１は、コンクリートや石材、木材、樹脂、金属などで形成することができる。基体１１を水底に設置する場合には、安定性を高めるために比重の大きいコンクリートや石材で形成するのが好ましい。
もちろん、基体１１は金属や樹脂又は木材で形成してもよいが、樹脂又は木材で形成する場合には、基体１１が流されないようにアンカーで水底に固定したり、バラストを取り付けるが好ましい。
また、収容部１１１の内壁には、収容した栄養成分による基体１１の腐食や劣化、栄養成分の漏出を防止するために、樹脂コーティング等を施してもよいし、樹脂などで形成された別体の容器を収容部１１１の内部に嵌め込むようにしてもよい。
【００１８】
［遮蔽体］
遮蔽体１４は、収容部１１１から栄養成分が水流によらないで自然に放出されるようにするために、基体１１の放出孔１１３付近での水流の発生を抑制する目的と、放出孔１１３から放出された栄養成分を一定領域内に滞留させ藻類の発生や魚類の誘因を促進させる目的で基体１１に設置される。
遮蔽体１４は、上下両端が開口する筒状の遮蔽体本体１４０と、この遮蔽体本体１４０の上部開口を閉塞する天板１４１とを有している。
天板１４１には、魚等の水棲生物が出入りできるように孔１４３が形成され、遮蔽体本体１４０の周囲には、水流が出入りできる孔１４２が複数形成されている。
【００１９】
なお、図示の例では、天板１４１に対して比較的大きな角形状の孔１４３が一つ形成されているが、孔１４３は繁殖させようとする水棲生物が出入りできる大きさ及び形であればよい。
例えば、小さい円形状の孔１４３を天板１４１に複数形成してもよく、孔１４２から水棲生物が出入りできるのであれば、天板１４１に孔１４３は特に形成しなくてもよい。
さらに、基体１１の放出孔１１３の周囲に水流を発生させないのであれば、天板１４１は特に設けなくてもよい。
【００２０】
孔１４２は、主として水棲生物の生息に必要な水流を遮蔽体本体１４０内に導入する目的で形成される。この目的を達成できるのであれば、孔１４２の大きさや形状及び遮蔽体本体１４０における配置位置は問わないが、可能な限り、基体１１の放出孔１１３の周囲に水流を起こさせないものを選択する。
この目的を達成できるのであれば、例えば孔１４３の形状は、図示の例のように上下方向に形成されたスリット状のものであってもよいし、丸孔状又は角孔状のものであってもよい。さらに、天板１４１の孔１４３によってこの目的を達成できるのであれば、孔１４２は特に設けなくてもよい。
【００２１】
［生物担持体］
生物担持体１６は、遮蔽体本体１４０内における栄養成分の滞留を補助するとともに、水棲生物の繁殖と定着を促す目的で設けられる。
この実施形態において生物担持体１６は、遮蔽体本体１４０内に固定される支持部材１６２と、この支持部材１６２から吊り下げられるリボン状，ブラシ状又は短冊状の吊下部材１６１とから構成される。隣り合う吊下部材１６１どうしが接触しないように、適宜に吊下部材１６１，１６１の間に接触防止部材を介在させてもよい。
【００２２】
吊下部材１６１は、藻類や海草類などの水棲生物が発生及び定着しやすい材質のものを選択するのがよく、例えば、繊維や表面に多数の凹凸を形成した樹脂などを挙げることができる。この種の繊維又は樹脂の材料としては、人工魚礁用として一般に利用されているものを用いることができるが、例えば特開平０９−１１８７７５号公報に記載されているような生物付着性樹脂組成物を用いてもよい。
なお、吊下部材１６１には、発生させようとする例えば藻類や海草類などの種を予め植え込んでおいてもよい。
【００２３】
［栄養成分］
上記構成の本発明の水中設置構造物１に使用される栄養成分としては、液状又は半液状の無機栄養物や有機栄養物を用いることができる。この栄養成分の比重は、周囲の水より若干大きい程度とするのがよく、１．０５〜１．３程度であるのが好ましい。比重がこれより小さいと、栄養成分が早期に拡散、放出されてしまい、比重がこれより大きいと、栄養成分が拡散されにくくなって魚集効果を高めることができなくなる。
【００２４】
これら無機栄養物や有機栄養物に無機塩や有機塩を添加した無機栄養塩や有用有機物を栄養成分として用いてもよい。
無機塩や有機塩を添加することで、例えばアミノ酸等の有機栄養物の腐敗を遅らせることができる。例えば、アミノ酸に１０〜３０重量％程度、好ましくは２０重量％程度の無機塩又は有用塩を添加することで、栄養成分の腐敗を一年程度遅らせることができる。
【００２５】
上記の栄養成分は、比重が水（海水を含む）より大きいため、水中において補充孔１１４から収容部１１１内に栄養成分を流し込むことができる。また、水より比重が大きいため、収容部１１１内では底部に栄養成分が溜まり、かつ、放出孔１１３の周辺での水流が抑制されているため、栄養成分は表面から徐々に自然作用により放出孔１１３から遮蔽体本体１４０の内部に放出されることになる。
さらに、アルギン酸やゲル化剤、寒天などを添加して粘性を増すことで、水流による攪拌の影響をより小さくして、自然拡散による放出孔１１３からの栄養成分の放出をより容易にすることができる。
【００２６】
［作用］
上記構成の本発明の水中設置構造物１の作用を、図２を参照しながら説明する。
図２は、図１の水中設置構造物を水底に設置したときの断面図である。
栄養成分Ｎは、比重が周囲の水より大きいため、水中において補充孔１１４から収容部１１１内に投入することもできるし、ホースを補充孔１１４に接続して船上又は陸上から投入することもできる。
収容部１１１に収容された栄養成分Ｎの表面には水が接触しているが、水流は放出孔１１３の上に載置された遮蔽体１４によって遮蔽され、栄養成分Ｎの表面が乱されたり栄養成分が攪拌されたりすることはない。そのため、栄養成分Ｎは自然放出作用により徐々に放出孔１１３から遮蔽体本体１４０の内部に放出されることになる。遮蔽体本体１４０の内部に放出された栄養成分Ｎは、生物担持体１６の吊下部材１６１に付着したり、吊下部材１６１の間を浮遊したりして、遮蔽体本体１４０の内部に滞留し、藻類や海草類などの発生と吊下部材１６１への定着が促進される。これにより、魚類が水中設置構造物１の周囲に集まり、魚巣や魚群が形成される。
収容部１１１からは、長期に亘って栄養成分Ｎが放出され続けるので、上記の作用が長期に亘って持続され、水中設置構造物１の周囲や内部に魚巣や魚群が定着する。
【００２７】
［第二の実施形態］
次に、本発明の第二の実施形態にかかる水中設置構造物１′について、図３を参照しながら説明する。図３は、本発明の第二の実施形態にかかり、水中設置構造物を水底に設置したときの断面図である。なお、図３において先の実施形態と同一部位、同一箇所には同一の符号を付して詳しい説明は省略する。
この第二の実施形態の水中設置構造物１′において第一の実施形態の水中設置構造物１と異なるところは、天井部１１２の放出孔１１３に筒状の放出筒１１７を設けている点及びこの放出筒１１７の開口部分を包み込むようにカバー１１８を被せている点である。カバー１１８と放出筒１１７の開口部分との間には隙間が形成されていて、この隙間を通して栄養成分Ｎが遮蔽体本体１４０の内部へと放出される。
【００２８】
このような構成とすることで、水流により影響をより抑制することができ、潮流や水流の速い水中にも本発明の水中設置構造物１′を設置して、藻類や海草類などの繁殖促進や魚巣や魚群が定着を図ることが可能になる。
また、この実施形態では、補充口１１４に収容部１１１の底部近くまで伸びる導通管１１９を設けてあり、新鮮な栄養成分Ｎが補充口１１４から収容部１１１内の古い栄養成分Ｎの下に投入されるようになっている。このようにすることで、収容部１１１内に残った古い栄養成分Ｎの一部が腐敗することによる新鮮な栄養成分Ｎの腐敗の促進を抑制することができる。
【００２９】
［第三の実施形態］
次に、本発明の第三の実施形態にかかる水中設置構造物１″について、図４を参照しながら説明する。図４（ａ）は、本発明の第三の実施形態にかかり、水中設置構造物を水底に設置したときの断面図、（ｂ）は隔壁の平面図である。なお、図４において図１の実施形態と同一部位、同一箇所には同一の符号を付して詳しい説明は省略する。
【００３０】
この第三の実施形態の水中設置構造物１″において第一の実施形態の水中設置構造物１と異なるところは、収容部１１１内の上下方向に、複数層の隔壁１２０を設けている点である。この隔壁１２０は、収容部１１１内で栄養成分Ｎの表面が水流の影響によって乱れたり栄養成分が攪拌されたりしないように抑制して、栄養成分Ｎが可能な限り自然放出によって放出孔１１３から放出されるようにするために設けられる。
【００３１】
隔壁１２０には、図４（ｂ）の平面図に示すように、複数の孔１２０ａを形成するか、隔壁１２０をメッシュ状部材から形成することで栄養成分Ｎと水との接触面積を一定以上に維持する。
このような構成とすることで、水流により影響をより抑制することができ、潮流や水流の速い水中にも本発明の水中設置構造物１″を設置して、藻類や海草類などの繁殖促進や魚巣や魚群が定着を図ることが可能になる。
【００３２】
なお、第二の実施形態の放出筒１１７及びカバー１１８を組み合わせることで、より高い水流抑制効果を得ることができる。また、隔壁は図４に示すような横方向に限らず、縦方向に設けるものとしてもよい。
【００３３】
［第四の実施形態］
次に、本発明の第四の実施形態にかかる水中設置構造物２について、図５を参照しながら説明する。
図５（ａ）に示すように、この実施形態では、箱状又はフレーム状に形成された基体２１の中に、栄養成分Ｎを収容する有底筒状の収容筒２４が収容される。図示の例では、基体２１に収容する収容筒２４を６本としているが、これ以外の本数であってもよい。
【００３４】
栄養成分は、収容筒２４の開口２４ａから放出されるが、放出量を調整するために、開口２５ａの径を適宜に調整したカバー２５を収容筒２４の上端に取り付けるようにしてもよい。
この実施形態では、栄養成分の補充は収容筒２４の開口２４ａから行う。
図５では、図示の便宜上、一部を省略して記載しているが、この実施形態において基体２１の上部には、開口２４ａの周囲の水流を抑制するために、ブラシ状の遮蔽体２４が開口２４ａを取り囲むように配置される。そして、遮蔽体２４の内側が、放出された栄養成分を滞留する滞留部となることで藻類や海草類などの発生が促進される。
【００３５】
なお、この実施形態においても、遮蔽体２４の中に生物担持体を設けてもよいが、遮蔽体２４を図示するようなブラシ状のものや短冊状のもの又はリボン状のもので形成した場合には、これらの表面を生物担持体として利用してもよい。
また、図５（ｂ）に示すように、収容筒２４に収容する栄養成分Ｎの表面に、栄養成分Ｎより比重が小さく、周囲の水より比重の大きい材料を浮かべることで、水流抑制層Ｎａを形成してもよい。この水流抑制層Ｎａは油脂成分等で形成され、栄養成分Ｎが水流抑制層Ｎａに浸潤又は透過しつつ若しくは水流抑制層Ｎａにできた破れなどの隙間や穴を通して、開口２４ａから水中に拡散される。このような水流抑制層Ｎａを形成する栄養成分Ｎの表面の乱れや攪拌を抑制することができる。なお、このような水流抑制手段Ｎａは、攪拌抑制手段としても作用する。
【００３６】
［第五の実施形態］
次に、本発明の第五の実施形態にかかる水中設置構造物３について、図６を参照しながら説明する。
なお、図６において第一の実施形態と同一部位、同一部材には同一の符号を付し、詳しい説明は省略する。
この実施形態では、天井部１１２の放出孔１１３の上に筒状の遮蔽体３４を取り付けている。この遮蔽体３４には、上底部分や周面部分に栄養成分が放出される開口３４１を複数形成している。遮蔽体３４の周囲にさらに水流を抑制するための別の遮蔽体を設けてもよい。
この実施形態では、遮蔽体３４の表面を粗したり、凹凸や溝を形成するなどして、藻類や海草類などの水棲生物が定着しやすいようにしてある。すなわち、この実施形態では、遮蔽体３４の表面が生物担持体を構成している。
【００３７】
［第六の実施形態］
次に、本発明の第六の実施形態にかかる水中設置構造物４について、図７を参照しながら説明する。
なお、図７において第二の実施形態と同一部位、同一部材には同一の符号を付し、詳しい説明は省略する。
【００３８】
この実施形態の水中設置構造物４は、第二の実施形態の水中設置構造物１′から遮蔽体１４と生物担持体１６を取り除き、生物担持体４６を天井部１１２に上面に敷設した構成としてある。
この水中設置構造物４においては、天井部１１２の周囲に立設された基体１１の側壁４４が、水流を抑制する遮蔽体として機能する。また、側壁４４で囲まれた領域が、膨出筒１１７から放出された栄養成分を滞留させる滞留部として機能する。
この実施形態の水中設置構造物４は、小型で簡単な構成であるため、水流がほとんど発生しない湾内や養殖池等での利用に適している。
【００３９】
本発明の好適な実施形態について説明したが、本発明は上記の説明に限定されるものではない。
例えば、上記の説明では、主として水底に設置される構造物を例に挙げて説明したが、本発明の水中設置構造物は、アンカーやフロートなどを使って水底と水面の間に浮揚状態で設置することも可能である。
また、水中設置構造物１，１′，１″，２〜４の基本形状として四角形状のもの図示して説明したが、設置される水中の環境に応じて、円形や楕円形、多角形、不定形など、種々の形状とすることが可能である。
【００４０】
さらに、生物担持体１６は支持部材１６２から吊り下げられるものに限らず、藻類や海草類等の発生と定着を促すことができるのであれば、棒状又は板状の比較的硬い部材であってもよく、これらを基体１１の天井部１１２や遮蔽体本体１４０の壁面から立設させてもよい。
また、第一の実施形態〜第六の実施形態で説明した各手段は適宜に組み合わせることができ、例えば、図５に示した第四の実施形態の遮蔽体２４を図２〜図４に示した第一〜第三の実施形態の基体１１に設けることも可能であり、また、図５に示した水流抑制層Ｎａを他の実施形態の栄養成分Ｎに適用することも可能である。さらに、水流抑制層Ｎａと同様に栄養成分Ｎの表面に浮かんだ状態で水流抑制を行うことができるのであれば、栄養成分Ｎの表面に板状又はボール状のフロートを浮かべるようにしてもよい。なお、これらの水流抑制手段は、栄養成分の攪拌抑制も行うことから、攪拌抑制手段としても機能する。
【００４１】
さらに、図５（ｂ）の水流抑制層Ｎａは、他の実施形態の基体，収容部及び放出口と組み合わせて他の実施形態とは別に独立して実施することが可能である。
また、図１，２，３，４，５，６の遮蔽体や、図３，５，７のカバー又は蓋をさらに他の形態の遮蔽体や蓋，カバーとすることも可能で、メッシュ状、多孔状のもののほか、例えば図８に示すような井桁を数段に組み上げたものも使用することが可能であるし、この表面を生物担持体として利用することも可能である。
【産業上の利用可能性】
【００４２】
本発明は、海中や川中、湖中に設置される魚礁に限らず、魚介類や藻類などの水棲生物の繁殖を目的とする養殖場にも広範に適用が可能である。
【図面の簡単な説明】
【００４３】
【図１】本発明の水中設置構造物の第一の実施形態にかかり、その構成を説明する分解斜視図である。
【図２】図１の水中設置構造物を水底に設置したときの断面図である。
【図３】本発明の第二の実施形態にかかり、水中設置構造物を水底に設置したときの断面図である。
【図４】（ａ）は、本発明の第三の実施形態にかかり、水中設置構造物を水底に設置したときの断面図、（ｂ）は隔壁の平面図である。
【図５】本発明の第四の実施形態にかかり、（ａ）は水中設置構造物の斜視図、（ｂ）は栄養成分の表面に水流抑制層を形成した一例を示す収容筒の拡大断面図である。
【図６】本発明の第五の実施形態にかかり、水中設置構造物の斜視図である。
【図７】本発明の第六の実施形態にかかり、水中設置構造物の断面図である。
【図８】図１，２，３，４，５，６の遮蔽体又は図３，５，７のカバー若しくは蓋の代わりとして利用可能な部材の一例を示す斜視図である。
【符号の説明】
【００４４】
１，１′，１″      水中設置構造物
１１                基体
１１０              基体本体
１１１              収容部
１１２              天井部
１１３              放出孔
１１４              補充孔
１１５              蓋
１１７              放出筒
１１８              カバー
１１９              導通管
１２０              隔壁
１４                遮蔽体
１４０              遮蔽体本体
１４１              天板
１４２              孔
１４３              孔
１６                生物担持体
１６１              吊下体
１６２              支持部材
Ｎ                  栄養成分
Ｎａ                水流抑制層
【図１】
0005963429.tif 000002
【図２】
0005963429.tif 000003
【図３】
0005963429.tif 000004
【図４】
0005963429.tif 000005
【図５】
0005963429.tif 000006
【図６】
0005963429.tif 000007
【図７】
0005963429.tif 000008
【図８】
0005963429.tif 000009